(57)【要約】      （修正有）【課題】  ガス抜き用ペーパに目詰まりを生じさせないように改良されたポリ容器用ガス抜き蓋を提供することを主要な目的とする。【解決手段】  ポリ容器用ガス抜き蓋は、内蓋６と保護カバー１１とからなる。内蓋の下面に設けられたガス抜き用ペーパ１０を覆うように、保護カバーが設けられている。保護カバーの側部には、液膜が張らない大きさの開口部１２が設けられている。ポリ容器２内から発生したガスは、保護カバーの側部の開口部を通って、保護カバー内に入り、ガス抜き用ペーパ、通気口９を通り、内蓋の上面に形成された通気用溝を通り、液取り出し口３の外面に設けられたねじ山とキャップ５の内面の設けられたねじ溝の隙間２５を通って、キャップに設けられた開口部５ａから外部に放出される。開口部は、液膜が張らない大きさにされているので、保護カバー内に液体が入り込んでも、速やかにこの液体はポリ容器内に戻される。【選択図】図１
2006273344.tif 000002
【特許請求の範囲】
【請求項１】
ポリ容器の液取り出し口に取り付けられ、該ポリ容器を密閉するポリ容器用ガス抜き蓋であって、
通気口を有し、前記液取り出し口に嵌り込んで前記ポリ容器を密閉する内蓋と、
前記内蓋の下面に前記通気口を閉じるように設けられ、ガスを通過させるが、液体を遮断するガス抜き用ペーパと、
前記内蓋の下面に前記ガス抜き用ペーパを覆うように取り付けられ、前記ガス抜き用ペーパが剥がれて前記容器内へ落下するのを防止するための、側部と底面部が一体成形されてなる保護カバーと、を備え、
前記保護カバーの側部には液膜が張らない大きさを有する開口部が設けられているポリ容器用ガス抜き蓋。
【請求項２】
前記開口部の下端の位置は、前記前記保護カバーの底面部の上面の位置より低くされている請求項１に記載のポリ容器用ガス抜き蓋。
【請求項３】
前記保護カバーの底面部は、中央に向かって盛り上がっている請求項１または２に記載のポリ容器用ガス抜き蓋。
【請求項４】
前記保護カバーの底面部には強度を高めるためのリブが設けられている、請求項１から３のいずれか１項に記載のポリ容器用ガス抜き蓋。
【請求項５】
前記内蓋の上部を覆うように前記ポリ容器の取り出し口に取り付けられるキャップをさらに備える請求項に記載１から４のいずれか１項に記載のポリ容器用ガス抜き蓋。
【発明の詳細な説明】
【技術分野】
【０００１】
本発明は一般にポリ容器用ガス抜き蓋に関し、より特定的には、ガスを通過させるが液体を遮断する働きをするガス抜き用ペーパの、目詰まりを防止することができるように改良されたポリ容器用ガス抜き蓋に関する。
【背景技術】
【０００２】
過酸化水素水、混酸、金属表面処理剤、次亜塩素酸ソーダ液等のガスを発生する液体を収容するポリ容器は、容器内の気圧増加を防止するために、通気性を有する蓋で、液取り出し口が密閉されている。
【０００３】
図５は、ポリ容器２に従来の蓋４が取り付けられた状態の部分断面図である。図６は、従来の蓋４の部分断面図である。こららの図を参照して、例えば過酸化水素水１を収容するポリ容器２には、上方に突出する液取り出し口３が設けられている。ポリ容器２は、１３〜３０リットル用のものが汎用されている。液取り出し口３を閉じる蓋４は、キャップ５と内蓋６と保護カバー１１からなる。キャップ５の内壁面には、液取り出し口３の外面に設けられたねじ山に嵌まり込む、ねじ溝が設けられている。
【０００４】
内蓋６は、液取り出し口３の内面に接する嵌まり込み部６ａを有し、嵌まり込み部６ａが液取り出し口３の内面に接するように嵌まり込むことによって、ポリ容器２が密閉される。
【０００５】
図７は、内蓋６と保護カバー１１との組み合わせ物の部分断面図である。図８（Ａ）は、保護カバー１１の部分断面図であり、図８（Ｂ）は、図８（Ａ）のＢ方向から見た矢視図（保護カバー１１の底面図）である。これらの図を参照して、内蓋６には、通気口９が設けられており、通気口９を閉じるように内蓋６の下面に、ガス抜き用ペーパ１０が設けられている。ガス抜き用ペーパ１０は、ガスを通過させるが、液体を遮断する働きをする。
【０００６】
内蓋６の下面に設けられたガス抜き用ペーパ１０を覆うように、側部と底面部を有する保護カバー１１が設けられている。保護カバー１１は、ガス抜き用ペーパ１０が剥がれて容器２内へ落下するのを防止するためのものである。保護カバー１１の底面は、中央部で隆起しており、孔２０が設けられている。
【０００７】
図９は、ガス抜き用ペーパ１０の詳細を示す断面図である。図９を参照して、内蓋６の通気口９を閉じるように内蓋６の下面に設けられたガス抜き用ペーパ１０は、気体を通すが、液体を通さないものであり、テトラフルオロエチレン樹脂で形成された多孔質膜である。ガス抜き用ペーパ１０はポリエステル面１０ａとテトラフルオロエチレン面（撥水処理）１０ｂを有し、内蓋６の下面に、熱融着することによって取り付けられる。図中、１０ｃは、融着部を表している。ガス抜き用ペーパ１０の取り付け方法は、保護カバー１１と内蓋６で挟み込む方法もあるが、このタイプは嵌合密着が不十分なため、挟み込み面から液が漏れやすい。一方、熱融着によると、横倒し等による液漏れに対し、より性能が高くなる。
【０００８】
図５と図６を再び参照して、動作について説明する。過酸化水素水１から発生したＯ2ガスは、図中、矢印で示すように、保護カバー１１の底面に設けられた孔２０を通って、ガス抜き用ペーパ１０、通気口９を通り、内蓋６の上面に形成された通気用溝６ｂを通り、液取り出し口３の外面に設けられたねじ山とキャップ５の内面の設けられたねじ溝の隙間２５を通って、キャップ５に設けられた開口部５ａから外部に放出される。これにより、ポリ容器２内の気圧が常圧に戻される。一方、ガス抜き用ペーパ１０は液体を通さないので、通気口９から保護カバー１１内に液体が入っても、液体の外部への漏出はガス抜き用ペーパ１０によって防がれる。その結果、このポリ容器２は、内蓋６によって密閉されている状態となり、振動を受け、液が跳ねても、液は外部に漏出しない。
【発明の開示】
【発明が解決しようとする課題】
【０００９】
しかしながら、図７を参照して、従来の保護カバー１１の構造であると、長期間使用していると、孔２０から侵入した液が、保護カバー１１の隆起部分の周辺の凹み部分２１に溜まるという現象が観察された。保護カバー１１の凹み部分２１に液が溜まると、この液が頻繁にガス抜き用ペーパ１０に接触し、ガス抜き用ペーパ１０に目詰まりを生じさせ、通気性が悪くなるという問題点があった。また、保護カバー１１の凹み部分２１に液が溜まったままで放置しておくと、蓋４を開けた際、液が孔２０を通って、外部に垂れだし、皮膚を冒す等の問題点があった。
【００１０】
本発明は、このような問題点を解決するためになされたもので、ガス抜き用ペーパに目詰まりを生じさせないように改良されたポリ容器用ガス抜き蓋を提供することを目的とする。
【００１１】
本発明の他の目的は、蓋を開けた際、蓋から、外部に液が垂れだすことがないように改良されたポリ容器用ガス抜き蓋を提供することにある。
【課題を解決するための手段】
【００１２】
本発明は、ポリ容器の液取り出し口に取り付けられ、該ポリ容器を密閉するポリ容器用ガス抜き蓋にかかる。ポリ容器用ガス抜き蓋、通気口を有し、上記液取り出し口に嵌り込んで密閉する内蓋を備える。上記内蓋の下面に上記通気口を閉じるように、ガスを通過させるが、液体を遮断するガス抜き用ペーパが設けられている。上記内蓋の下面に上記ガス抜き用ペーパを覆うように、上記ガス抜き用ペーパが剥がれて上記容器内へ落下するのを防止するための、側部と底面部が一体成形されてなる保護カバーが取り付けられている。上記保護カバーの側部には液膜が張らない大きさの開口部が設けられている。この開口部は、該保護カバー内に入り込んだ液体をポリ容器内に戻す働きをするので、保護カバー内には液が溜まらない。
【００１３】
この発明の好ましい実施態様によれば、上記開口部の下端の位置は、上記保護カバーの底面部の上面の位置より低くされている。このように構成することにより、保護カバー内に入り込んだ液体は全てポリ容器内に戻される。
【００１４】
この発明のさらに好ましい実施態様によれば、上記保護カバーの底面部は、中央に向かって盛り上がっている。このように構成することにより、保護カバー内に入り込んだ液体を完全にポリ容器内に戻すことができる。
【００１５】
この発明のさらに好ましい実施態様によれば、上記保護カバーの底面部には強度を高めるためのリブが設けられている。
【００１６】
上記内蓋の上部を覆うように上記ポリ容器の取り出し口にキャップが取り付けられるのが好ましい。
【発明の効果】
【００１７】
本発明にかかるポリ容器用ガス抜き蓋によれば、上記保護カバーの側部には、該保護カバー内に入り込んだ液体をポリ容器内に戻すための、液膜が張らない大きさの開口部が設けられているので、保護カバー内には液が溜まらない。保護カバー内には液が溜まらない結果、ガス抜き用ペーパに目詰まりを生じさせない。また、保護カバー内には液が溜まらない結果、蓋を開けて液を取り出す際、蓋から、外部に液が垂れだすことがない。
【発明を実施するための最良の形態】
【００１８】
ガス抜き用ペーパに目詰まりを生じさせないように改良されたポリ容器用ガス抜き蓋を提供するという目的を、保護カバーの側部に、該保護カバー内に入り込んだ液体をポリ容器内に戻すための、液膜が張らない大きさの開口部を設けることによって実現した。以下この発明の実施例を図面を用いて説明する。
【実施例１】
【００１９】
図１は、実施例１にかかるポリ容器用ガス抜き蓋をポリ容器に取り付けたときの部分断面図である。ポリ容器２の液取り出し口３に、キャップ５と内蓋６と保護カバー１１からなる蓋４が設けられている。キャップ５、内蓋６および保護カバー１１は、例えばポリエチレンで形成される。キャップ５の内壁面には、液取り出し口３の外面に設けられたねじ山に嵌まり込む、ねじ溝が設けられている。
【００２０】
内蓋６は、液取り出し口３の内面に接する嵌まり込み部６ａを有する。嵌まり込み部６ａが液取り出し口３の内面に接するように嵌まり込むことによって、容器２が密閉される。
【００２１】
図２は、ポリ容器用ガス抜き蓋の部分断面図である。
【００２２】
図２を参照して、ポリ容器用ガス抜き蓋は、内蓋６と保護カバー１１とからなる。内蓋６は、通気口９を有する。通気口９を閉じるように内蓋６の下面に、ガスを抜くためのガス抜き用ペーパ１０が設けられている。内蓋６の下面に、ガス抜き用ペーパ１０を覆うように、側部１１ａと底面部１１ｂが一体成形されてなる保護カバー１１が設けられている。
【００２３】
内蓋６は、保護カバー１１を支持する脚３１を有する。図示しないが、脚３１の外周には、周方向に延びる突起が設けられており、この突起が、保護カバー１１の側部１１ａの内周面に周方向に延びて形成された溝に嵌まり込むことにより、保護カバー１１は内蓋６に固定される。
【００２４】
図３（Ａ）は、保護カバー１１の平面図であり、図３（Ｂ）は、保護カバー１１の底面図であり、図３（Ｃ）は、図３（Ｂ）におけるＣ−Ｃ線に沿う断面図である。これらの図を参照して、保護カバー１１の側部１１ａには、保護カバー１１内に入り込んだ液体をポリ容器内に戻すための、液膜が張らない大きさの開口部１２が設けられている。開口部１２が四角の場合、その辺の長さは３ｍｍ以上にされる。これより、小さいと液膜が張り、保護カバー１１内に入り込んだ液体をポリ容器内に戻すことができない。開口部１２が円の場合、その直径は３．５ｍｍ以上にするのが好ましい。
【００２５】
なお、図２と図３（Ｃ）を参照して、保護カバー１１の側部１１ａの内壁面には、内蓋６の脚３１の外周に周方向に延びるように設けられた突起に嵌まり込む、周方向に延びる溝３２が設けられている。また、保護カバー１１の側部１１ａの上端には、内蓋の脚の外周に設けられた突起を溝３２に導き易くするためのテーパ３３が形成されている。内蓋６の脚３１の外周に設けられた突起を保護カバー１１のテーパ３３にあてがい、保護カバー１１を内蓋６に向けて押すと、小さな音を発して保護カバー１１は内蓋６にしっかりと固定される。
【００２６】
次に動作について説明する。
【００２７】
図１を再び参照して、ポリ容器２内の液体から発生したガスは、保護カバー１１の側部１１ａに設けられた開口部１２を通って、保護カバー１１内に入り、ガス抜き用ペーパ１０、通気口９を通り、内蓋６の上面に形成された通気用溝を通り、液取り出し口３の外面に設けられたねじ山とキャップ５の内面の設けられたねじ溝の隙間２５を通って、キャップ５に設けられた開口部５ａから外部に放出される。また、保護カバー１１の側部に設けられた開口部１２は、液膜が張らない大きさにされているので、保護カバー１１内に液体が入り込んでも、速やかにこの液体はポリ容器２内に戻される。したがって、長期間使用しても、ガス抜き用ペーパ１０に目詰まりを生じさせない。また、蓋を開けて液を取り出す際、蓋から、外部に液が垂れだすことがない。
【００２８】
図３（Ｃ）を再び参照して、開口部１２は、複数個設けられる。開口部１２の下端の位置は、保護カバー１１の底面部１１ｂの上面の位置より低くされる。このように構成することにより、保護カバー１１内に入り込んだ液体は全てポリ容器内に戻される。保護カバー１１の底面部１１ｂは、中央に向かって盛り上がっているのが好ましい。このように構成することにより、保護カバー１１内に入り込んだ液体を完全にポリ容器内に戻すことができる。保護カバー１１の底面部１１ｂには、強度を高めるためのリブ１４が設けられる。リブ１４は、ポリエチレンで保護カバー１１の底面部１１ｂに一体的に形成される。
【実施例２】
【００２９】
図４は、内蓋の側部と底面部と開口部の位置関係を簡略に示す図である。図４（Ａ）は、上記実施例１を示すもので、開口部１２の下端の位置は、保護カバー１１の底面部１１ｂの上面の位置に等しくされている。保護カバー１１の底面部１１ｂは、中央に向かって盛り上がっている。
【００３０】
図４（Ｂ）は、本発明の変形例を示す図である。保護カバー１１の側部１１ａに開口部１２が設けられている。保護カバー１１の底面部１１ｂは、中央に向かって連続的に盛り上がっている。本変形例では、開口部１２の下端の位置は、保護カバー１１の底面部１１ｂの上面の位置より上にある。しかし、このような変形例であっても、従来例に比べると、液溜まり量は著しく減少することが認められた。
【００３１】
図４（Ｃ）は、本発明のさらなる変形例を示す図である。保護カバー１１の側部１１ａに開口部１２が設けられている。保護カバー１１の底面部１１ｂは、中央に向かって盛り上がっていないが、開口部１２の下端の位置は、保護カバー１１の底面部１１ｂの上面の位置に等しくされている。このような変形例であっても、実施例１とほぼ同様の効果を奏する。
【００３２】
図４（Ｄ）は、本発明のさらなる変形例を示す図である。保護カバー１１の側部１１ａに開口部１２が設けられている。保護カバー１１の底面部１１ｂは、中央に向かって盛り上がっていない。本変形例では、開口部１２の下端の位置は、保護カバー１１の底面部１１ｂの上面の位置より上にある。しかし、このような変形例であっても、従来例に比べると、液溜まり量は著しく減少することが認められた。
【００３３】
図４（Ｅ）は、比較例と示した、図８に示す従来の保護カバーの概略断面図である。
【００３４】
液溜まり量評価および水膜発生の有無の確認
【００３５】
図４（Ａ）に示す保護カバーに内蓋をセットしたもの（実施例１）、図４（Ｄ）に示す保護カバーに内蓋をセットしたもの（実施例２）および図４（Ｅ）に示す従来の保護カバーに内蓋をセットしたもの（比較例）を用いて、過酸化水素水の替わりに水を満水充填した容器（２０Ｌ）を、図１に示すように密閉し、１０回振とうさせた後、内蓋と保護カバーセット品の重量を測定することにより、液溜まり量を把握した。また併せて水膜発生の有無を確認した。液溜まり量を５回繰り返して評価した結果を表１に示す。水膜発生の有無はそれぞれサンプル２０個を試験し、発生率を求めた。結果を表２に示す。
【表１】
2006273344.tif 000003
【表２】
2006273344.tif 000004
【００３６】
表１から明らかなように、保護カバーの側部に開口部を設けた実施例１，２の場合には、液溜まり量は従来例に比べて著しく減少することが認められた。また、表２を参照して、実施例１，２では、保護カバーの側部に開口部の大きさは液膜が張らない大きさに選ばれているので、全く水膜を発生させなかったが、比較例の場合には、５５％の保護カバーが水膜を発生させていた。
【００３７】
今回開示された実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００３８】
本発明は、ガス抜き用ペーパの目詰まりを防止することができ、長期使用が可能なポリ容器用ガス抜き蓋を与える。
【図面の簡単な説明】
【００３９】
【図１】ポリ容器に、本発明の実施例１にかかるポリ容器用ガス抜き蓋が取り付けられた状態の部分断面図である
【図２】実施例１にかかるポリ容器用ガス抜き蓋の部分断面図である。
【図３】（Ａ）は、実施例１にかかる保護カバーの平面図である。  （Ｂ）は、実施例１にかかる保護カバーの底面図である。  （Ｃ）は、図２（Ｂ）におけるＣ−Ｃ線に沿う断面図である。
【図４】種々のポリ容器用ガス抜き蓋の、内蓋の側部と底面部と開口部の関係を簡略に示す図である。
【図５】ポリ容器に従来の蓋が取り付けられた状態の部分断面図である。
【図６】従来のキャップの部分の拡大部分断面図である。
【図７】従来の内蓋と保護カバーとの組み合わせ物の詳細部分断面図である。
【図８】（Ａ）  従来の保護カバーの詳細部分断面図である。  （Ｂ）  従来の保護カバーの底面図である。
【図９】ガス抜き用ペーパの詳細を示す断面図である。
【符号の説明】
【００４０】
１  過酸化水素水
２  ポリ容器
３  液取り出し口
４  蓋
５  キャップ
５ａ  開口部
６  内蓋
６ａ  嵌まり込み部
６ｂ  通気用溝
９  通気口
１０  ガス抜き用ペーパ
１０ａ  ポリエステル面
１０ｂ  テトラフルオロエチレン面（撥水処理）
１０ｃ  融着部
１１  保護カバー
１１ａ  側部
１１ｂ  底面部
１２  開口部
１４  リブ
２０  孔
２１  凹み部分
２５  ねじ溝の隙間
３１  脚
３２  周方向に延びる溝
３３  テーパ
【図１】
2006273344.tif 000005
【図２】
2006273344.tif 000006
【図３】
2006273344.tif 000007
【図４】
2006273344.tif 000008
【図５】
2006273344.tif 000009
【図６】
2006273344.tif 000010
【図７】
2006273344.tif 000011
【図８】
2006273344.tif 000012
【図９】
2006273344.tif 000013